(57)【要約】【課題】ＰＣ等のクライアント装置と接続された状態でＰＣスキャン、コピー、ファクシミリ送信等を行う画像読取装置の構成を簡略化して画像読取装置のコストダウンを可能とする画像処理システム、画像読取装置、及びクライアント装置を提供すること。【解決手段】本発明の画像処理システム１は、クライアント装置３において原稿の読取開始の指示を受付けてクライアント装置３から画像読取装置２ａへ原稿の読取開始命令を送信する手段と、画像読取装置２ａが読取開始命令を受信した場合に、画像読取装置２ａにおいて原稿の画像を読取って読取画像データを取得し、取得した読取画像データを画像読取装置２ａからクライアント装置３へ転送する手段と、クライアント装置３において転送されてきた読取画像データを画像処理してメモリに蓄積する手段と、を備える。【選択図】      図１
2007074064.tif 000002
【特許請求の範囲】
【請求項１】
クライアント装置において原稿の読取開始の指示を受付けて前記クライアント装置から画像読取装置へ原稿の読取開始命令を送信する手段と、前記画像読取装置が前記読取開始命令を受信した場合に、前記画像読取装置において原稿の画像を読取って読取画像データを取得し、取得した読取画像データを前記画像読取装置から前記クライアント装置へ転送する手段と、前記クライアント装置において転送されてきた前記読取画像データを画像処理してメモリに蓄積する手段と、を備えることを特徴とする画像処理システム。
【請求項２】
クライアント装置において原稿の読取開始の指示を受付けて前記クライアント装置から画像読取装置へ原稿の読取開始命令を送信する手段と、前記画像読取装置が前記読取開始命令を受信した場合に、前記画像読取装置において原稿の画像を読取って読取画像データを取得し、取得した読取画像データを前記画像読取装置から前記クライアント装置へ転送する手段と、前記クライアント装置において転送されてきた前記読取画像データを画像処理して出力用画像データを生成し、生成した出力用画像データを前記クライアント装置から前記画像読取装置へ転送する手段と、前記画像読取装置において転送されてきた前記出力用画像データを出力する手段と、を備えることを特徴とする画像処理システム。
【請求項３】
前記クライアント装置において転送されてきた前記読取画像データを画像処理して出力用画像データを生成し、生成した出力用画像データを前記クライアント装置から前記画像読取装置へ転送する手段と、前記画像読取装置において転送されてきた前記出力用画像データを出力する手段と、を備えることを特徴とする請求項１記載の画像処理システム。
【請求項４】
前記画像読取装置と前記クライアント装置とを接続するＵＳＢを備え、前記画像読取装置から前記クライアント装置へ前記読取画像データを転送する処理及び前記クライアント装置から前記画像読取装置へ前記出力用画像データを転送する処理を同時に行うためのＵＳＢ ＨＵＢを前記画像読取装置に設けたことを特徴とする請求項２又は３記載の画像処理システム。
【請求項５】
前記クライアント装置において前記画像読取装置を使用するための所定操作が行われた場合に、割込み禁止命令を前記クライアント装置から前記画像読取装置へ送信する手段と、前記画像読取装置が前記割込み禁止命令を受信した場合に、前記画像読取装置において前記割込み禁止命令の送信元のクライアント装置からのアクセスのみを許可し、他のクライアント装置からのアクセスを禁止する手段と、を備えることを特徴とする請求項１乃至４のいずれか１に記載の画像処理システム。
【請求項６】
前記クライアント装置において前記割込み禁止命令を送信してから所定時間を経過しても前記原稿の読取開始の指示がなかった場合に、前記クライアント装置から前記画像読取装置へ割込み禁止解除命令を送信する手段と、前記画像読取装置が前記割込み禁止解除命令を受信した場合に、前記画像読取装置において前記他のクライアント装置からのアクセス禁止を解除する手段と、を備えることを特徴とする請求項５記載の画像処理システム。
【請求項７】
クライアント装置から原稿の読取開始命令を受信した場合に、原稿の画像を読取って読取画像データを取得する手段と、取得した読取画像データを画像処理することなく前記クライアント装置へ転送する手段と、を備えることを特徴とする画像読取装置。
【請求項８】
クライアント装置から原稿の読取開始命令を受信した場合に、原稿の画像を読取って読取画像データを取得する手段と、取得した読取画像データを画像処理することなく前記クライアント装置へ転送する手段と、前記読取画像データを転送した後に前記クライアント装置から出力用画像データを受信した場合に、受信した出力用画像データを出力する手段と、を備えることを特徴とする画像読取装置。
【請求項９】
前記読取画像データを転送した後に前記クライアント装置から出力用画像データを受信した場合に、受信した出力用画像データを出力する手段を備えることを特徴とする請求項７記載の画像読取装置。
【請求項１０】
前記クライアント装置とＵＳＢにより接続されており、前記読取画像データを前記クライアント装置へ転送する処理及び前記クライアント装置から転送されてきた前記出力用画像データを受信する処理を同時に行うためのＵＳＢ ＨＵＢを備えることを特徴とする請求項８又は９記載の画像読取装置。
【請求項１１】
前記クライアント装置から割込み禁止命令を受信した場合に、その送信元のクライアント装置からのアクセスのみを許可し、他のクライアント装置からのアクセスを禁止する手段を備えることを特徴とする請求項７乃至１０のいずれか１に記載の画像読取装置。
【請求項１２】
前記割込み禁止命令の送信元のクライアント装置から割込み禁止解除命令を受信した場合に、前記他のクライアント装置からのアクセス禁止を解除する手段を備えることを特徴とする請求項１１記載の画像読取装置。
【請求項１３】
原稿の読取開始の指示を受付けて原稿の読取開始命令を画像読取装置へ送信する手段と、前記読取開始命令を送信した後に前記画像読取装置から読取画像データを受信した場合に、受信した読取画像データを画像処理してメモリに蓄積する手段と、を備えることを特徴とするクライアント装置。
【請求項１４】
原稿の読取開始の指示を受付けて原稿の読取開始命令を画像読取装置へ送信する手段と、前記読取開始命令を送信した後に前記画像読取装置から読取画像データを受信した場合に、受信した読取画像データを画像処理して出力用画像データを生成する手段と、生成した出力用画像データを前記画像読取装置へ転送する手段と、を備えることを特徴とするクライアント装置。
【請求項１５】
前記読取開始命令を送信した後に前記画像読取装置から読取画像データを受信した場合に、受信した読取画像データを画像処理して出力用画像データを生成する手段と、生成した出力用画像データを前記画像読取装置へ転送する手段と、を備えることを特徴とする請求項１３記載のクライアント装置。
【請求項１６】
前記画像読取装置を使用するための所定操作が行われた場合に、自装置からのアクセスのみを許可し、他のクライアント装置からのアクセスを禁止させるための割込み禁止命令を前記画像読取装置へ送信する手段を備えることを特徴とする請求項１３乃至１５のいずれか１に記載のクライアント装置。
【請求項１７】
前記割込み禁止命令を送信してから所定時間を経過しても前記原稿の読取開始の指示がなかった場合に、前記画像読取装置に前記他のクライアント装置からのアクセス禁止を解除させるための割込み禁止解除命令を前記画像読取装置へ送信する手段を備えることを特徴とする請求項１６記載のクライアント装置。
【発明の詳細な説明】
【技術分野】
【０００１】
本発明は、コピー機能、スキャナ機能、ファクシミリ通信機能等を有する画像読取装置とクライアント装置とからなる画像処理システム、画像読取装置、及びクライアント装置に関するものである。
【背景技術】
【０００２】
従来、単体でコピー機能、スキャナ機能、ファクシミリ通信機能等を有する画像読取装置（複合機）が、ＰＣ等からなるクライアント装置と例えばＬＡＮやＵＳＢ等を介して接続され、クライアント装置から画像読取装置の資源を有効利用できるようになっている。具体的には、画像読取装置が備えるスキャナが原稿から取得した読取画像データをクライアント装置へ転送したり、クライアント装置から画像読取装置へ転送した画像データを画像読取装置からＦＡＸ送信すること等が可能である。
【０００３】
例えば、ＰＣとＵＳＢを介して接続される画像読取装置として、特許文献１に開示されているようなものがある。図１４に示すように、特許文献１に記載されている画像読取装置５０は、ＦＡＸ部５１とプリンタ部５２から構成されており、ＦＡＸ部５１は、ファクシミリ通信、原稿の読取り、画像データの管理等を行うものである。ＦＡＸ部５１は、ＦＡＸ部５１全体を制御するＦＡＸ制御部５３、ＦＡＸ部５１の制御プログラムを格納するＦＡＸ ＲＯＭ５４、各種設定情報等を格納するＲＡＭ５５、原稿の画像データを読取る読取部５６、画像データを一時記憶するバッファメモリ５７、通信すべきデータを変調又は復調するモデム５８、回線網制御装置であるＮＣＵ５９、ＵＳＢコントローラ６０、及びＩＥＥＥ１２８４ Ｉ／Ｆコントローラ６１を備えている。
【０００４】
一方、プリンタ部５２は、ＦＡＸ部５１において原稿から読取った読取画像データ、ＦＡＸ部５１においてファクシミリ受信した受信画像データ等の印刷処理を行うものである。このプリンタ部５２は、プリンタ部５２を制御するプリンタ制御部６３、プリンタ部５２の制御プログラムを格納するプリンタＲＯＭ６４、画像データを一時記憶するＲＡＭ６５、画像データの画像を用紙に記録する記録ヘッド６６、記録ヘッド６６の制御や画像データに対する画像処理を行うＡＳＩＣ６７、ＵＳＢコントローラ６８、及びＩＥＥＥ１２８４ Ｉ／Ｆコントローラ６９を備えている。
【０００５】
そして、ＦＡＸ部５１のＵＳＢコントローラ６０と、プリンタ部５２のＵＳＢコントローラ６８とは、それぞれ個別にＵＳＢ ＨＵＢコントローラ７１によってＵＳＢコネクタ７２を介してＵＳＢインターフェースケーブル７３と接続されるようになっており、ＰＣ等のクライアント装置（不図示）から、ＦＡＸ部５１のみならずプリンタ部５２を使用することができるようになっている。
【特許文献１】特開２００２−７７４９９号公報
【発明の開示】
【発明が解決しようとする課題】
【０００６】
このように、ＰＣ等のクライアント装置からＬＡＮやＵＳＢなどを介して画像読取装置の資源を有効利用することは従来から積極的に行われているが、逆に、画像読取装置からクライアント装置の資源を積極的に利用することは行われていないのが現状である。すなわち、画像読取装置が常時クライアント装置に接続された状態で使用される状況下にあっても、一般に画像読取装置で画像データに対して行われる画像処理（例えば、画像データの色空間変換、階調減少処理、符号化処理等）をクライアント装置において行わせるような画像処理システムはなかった。そのため、画像処理回路やコーデックを不要にして画像読取装置の構成を簡略化することができず、画像読取装置の製造コストを低下させることができないという問題点があった。
【０００７】
本発明は、かかる課題に鑑みてなされたものであり、ＰＣ等のクライアント装置と接続された状態でＰＣスキャン、コピー、ファクシミリ送信等を行う画像読取装置の構成を簡略化して画像読取装置のコストダウンを可能とする画像処理システム、画像読取装置、及びクライアント装置を提供することを目的とする。
【課題を解決するための手段】
【０００８】
上記目的を達成するために、請求項１記載の画像処理システムは、クライアント装置において原稿の読取開始の指示を受付けて前記クライアント装置から画像読取装置へ原稿の読取開始命令を送信する手段と、前記画像読取装置が前記読取開始命令を受信した場合に、前記画像読取装置において原稿の画像を読取って読取画像データを取得し、取得した読取画像データを前記画像読取装置から前記クライアント装置へ転送する手段と、前記クライアント装置において転送されてきた前記読取画像データを画像処理してメモリに蓄積する手段と、を備えることを特徴としている。
【０００９】
請求項２記載の画像処理システムは、クライアント装置において原稿の読取開始の指示を受付けて前記クライアント装置から画像読取装置へ原稿の読取開始命令を送信する手段と、前記画像読取装置が前記読取開始命令を受信した場合に、前記画像読取装置において原稿の画像を読取って読取画像データを取得し、取得した読取画像データを前記画像読取装置から前記クライアント装置へ転送する手段と、前記クライアント装置において転送されてきた前記読取画像データを画像処理して出力用画像データを生成し、生成した出力用画像データを前記クライアント装置から前記画像読取装置へ転送する手段と、前記画像読取装置において転送されてきた前記出力用画像データを出力する手段と、を備えることを特徴としている。
【００１０】
請求項３記載の画像処理システムは、請求項１に記載の画像処理システムにおいて、前記クライアント装置において転送されてきた前記読取画像データを画像処理して出力用画像データを生成し、生成した出力用画像データを前記クライアント装置から前記画像読取装置へ転送する手段と、前記画像読取装置において転送されてきた前記出力用画像データを出力する手段と、を備えることを特徴としている。
【００１１】
請求項４記載の画像処理システムは、請求項２又は３に記載の画像処理システムにおいて、前記画像読取装置と前記クライアント装置とを接続するＵＳＢを備え、前記画像読取装置から前記クライアント装置へ前記読取画像データを転送する処理及び前記クライアント装置から前記画像読取装置へ前記出力用画像データを転送する処理を同時に行うためのＵＳＢ ＨＵＢを前記画像読取装置に設けたことを特徴としている。
【００１２】
請求項５記載の画像処理システムは、請求項１乃至４のいずれか１に記載の画像処理システムにおいて、前記クライアント装置において前記画像読取装置を使用するための所定操作が行われた場合に、割込み禁止命令を前記クライアント装置から前記画像読取装置へ送信する手段と、前記画像読取装置が前記割込み禁止命令を受信した場合に、前記画像読取装置において前記割込み禁止命令の送信元のクライアント装置からのアクセスのみを許可し、他のクライアント装置からのアクセスを禁止する手段と、を備えることを特徴としている。
【００１３】
請求項６記載の画像処理システムは、請求項５に記載の画像処理システムにおいて、前記クライアント装置において前記割込み禁止命令を送信してから所定時間を経過しても前記原稿の読取開始の指示がなかった場合に、前記クライアント装置から前記画像読取装置へ割込み禁止解除命令を送信する手段と、前記画像読取装置が前記割込み禁止解除命令を受信した場合に、前記画像読取装置において前記他のクライアント装置からのアクセス禁止を解除する手段と、を備えることを特徴としている。
【００１４】
請求項７記載の画像読取装置は、クライアント装置から原稿の読取開始命令を受信した場合に、原稿の画像を読取って読取画像データを取得する手段と、取得した読取画像データを画像処理することなく前記クライアント装置へ転送する手段と、を備えることを特徴としている。
【００１５】
請求項８記載の画像読取装置は、クライアント装置から原稿の読取開始命令を受信した場合に、原稿の画像を読取って読取画像データを取得する手段と、取得した読取画像データを画像処理することなく前記クライアント装置へ転送する手段と、前記読取画像データを転送した後に前記クライアント装置から出力用画像データを受信した場合に、受信した出力用画像データを出力する手段と、を備えることを特徴としている。
【００１６】
請求項９記載の画像読取装置は、請求項７に記載の画像読取装置において、前記読取画像データを転送した後に前記クライアント装置から出力用画像データを受信した場合に、受信した出力用画像データを出力する手段を備えることを特徴としている。
【００１７】
請求項１０記載の画像読取装置は、請求項８又は９に記載の画像読取装置において、前記クライアント装置とＵＳＢにより接続されており、前記読取画像データを前記クライアント装置へ転送する処理及び前記クライアント装置から転送されてきた前記出力用画像データを受信する処理を同時に行うためのＵＳＢ ＨＵＢを備えることを特徴としている。
【００１８】
請求項１１記載の画像読取装置は、請求項７乃至１０のいずれか１に記載の画像読取装置において、前記クライアント装置から割込み禁止命令を受信した場合に、その送信元のクライアント装置からのアクセスのみを許可し、他のクライアント装置からのアクセスを禁止する手段を備えることを特徴としている。
【００１９】
請求項１２記載の画像読取装置は、請求項１１に記載の画像読取装置において、前記割込み禁止命令の送信元のクライアント装置から割込み禁止解除命令を受信した場合に、前記他のクライアント装置からのアクセス禁止を解除する手段を備えることを特徴としている。
【００２０】
請求項１３記載のクライアント装置は、原稿の読取開始の指示を受付けて原稿の読取開始命令を画像読取装置へ送信する手段と、前記読取開始命令を送信した後に前記画像読取装置から読取画像データを受信した場合に、受信した読取画像データを画像処理してメモリに蓄積する手段と、を備えることを特徴としている。
【００２１】
請求項１４記載のクライアント装置は、原稿の読取開始の指示を受付けて原稿の読取開始命令を画像読取装置へ送信する手段と、前記読取開始命令を送信した後に前記画像読取装置から読取画像データを受信した場合に、受信した読取画像データを画像処理して出力用画像データを生成する手段と、生成した出力用画像データを前記画像読取装置へ転送する手段と、を備えることを特徴としている。
【００２２】
請求項１５記載のクライアント装置は、請求項１３に記載のクライアント装置において、前記読取開始命令を送信した後に前記画像読取装置から読取画像データを受信した場合に、受信した読取画像データを画像処理して出力用画像データを生成する手段と、生成した出力用画像データを前記画像読取装置へ転送する手段と、を備えることを特徴としている。
【００２３】
請求項１６記載のクライアント装置は、請求項１３乃至１５のいずれか１に記載のクライアント装置において、前記画像読取装置を使用するための所定操作が行われた場合に、自装置からのアクセスのみを許可し、他のクライアント装置からのアクセスを禁止させるための割込み禁止命令を前記画像読取装置へ送信する手段を備えることを特徴としている。
【００２４】
請求項１７記載のクライアント装置は、請求項１６に記載のクライアント装置において、前記割込み禁止命令を送信してから所定時間を経過しても前記原稿の読取開始の指示がなかった場合に、前記画像読取装置に前記他のクライアント装置からのアクセス禁止を解除させるための割込み禁止解除命令を前記画像読取装置へ送信する手段を備えることを特徴としている。
【発明の効果】
【００２５】
請求項１に記載の画像処理システムによれば、画像読取装置に対する原稿の読取開始の指示や、クライアント装置のメモリに蓄積される読取画像データに対する画像処理がクライアント装置において行われる。そのため、原稿の読取開始の指示を入力するためのオペレーションパネル、読取画像データに対して例えば色空間変換や色調整等を行う画像処理回路、読取画像データを符号化するコーデック等を画像読取装置に設ける必要はなく、画像読取装置の構成を簡略化して安価な画像読取装置を製造することができる。
【００２６】
請求項２に記載の画像処理システムによれば、画像読取装置に対する原稿の読取開始の指示や、画像読取装置から出力される出力用画像データ（例えば、印刷処理に使用するプリントデータやＦＡＸ送信に使用する送信画像データ）を読取画像データに基づいて生成する処理がクライアント装置において行われる。そのため、原稿の読取開始の指示を入力するためのオペレーションパネル、読取画像データに対して例えば色空間変換や色調整、階調減少処理等を行う画像処理回路、読取画像データを符号化するコーデック等を画像読取装置に設ける必要はなく、画像読取装置の構成を簡略化して安価な画像読取装置を製造することができる。
【００２７】
請求項３に記載の画像処理システムによれば、画像読取装置から出力される出力用画像データを読取画像データに基づいて生成する処理がクライアント装置において行われる。そのため、読取画像データに対して例えば色空間変換や色調整、階調減少処理等を行う画像処理回路、読取画像データを符号化するコーデック等を画像読取装置に設ける必要はなく、画像読取装置の構成を簡略化して安価な画像読取装置を製造することができる。
【００２８】
請求項４に記載の画像処理システムによれば、画像読取装置とクライアント装置とが１本のＵＳＢケーブルによって接続される場合でも、画像読取装置からクライアント装置へ読取画像データを転送する処理と、クライアント装置から画像読取装置へ出力用画像データを転送する処理とを同時に行うことができる。
【００２９】
請求項５に記載の画像処理システムによれば、クライアント装置を操作するユーザが、クライアント装置で所定操作を行った後に、画像読取装置に原稿をセットしてクライアント装置に戻るまでの間に、別のユーザが画像読取装置に接続された他のクライアント装置から画像読取装置を動作させてしまうという問題が生じるのを防止することができる。
【００３０】
請求項６に記載の画像処理システムによれば、例えば、クライアント装置を操作するユーザが、画像読取装置を使用するための操作を途中で止めて画像読取装置へ読取開始命令が送信されなかった場合に、画像読取装置が当該クライアント装置によって無駄に占有されてしまうという問題が生じるのを防止することができる。
【００３１】
請求項７に記載の画像読取装置によれば、原稿の読取開始の指示を受付ける手段や、読取画像データに対して画像処理を行う手段を備えたクライアント装置と常時接続された状態で使用するようにすれば、原稿の読取開始の指示を入力するためのオペレーションパネル、読取画像データに対して例えば色空間変換や色調整等を行う画像処理回路、読取画像データを符号化するコーデック等を画像読取装置に設ける必要はない。そのため、画像読取装置の構成を簡略化して安価な画像読取装置を製造することができる。
【００３２】
請求項８に記載の画像読取装置によれば、原稿の読取開始の指示を受付ける手段や、読取画像データに対して出力用画像データを生成するために必要な画像処理を行う手段を備えたクライアント装置と常時接続された状態で使用するようにすれば、原稿の読取開始の指示を入力するためのオペレーションパネル、読取画像データに対して例えば色空間変換や色調整、階調減少処理等を行う画像処理回路、読取画像データを符号化するコーデック等を画像読取装置に設ける必要はない。そのため、画像読取装置の構成を簡略化して安価な画像読取装置を製造することができる。
【００３３】
請求項９に記載の画像読取装置によれば、読取画像データに対して出力用画像データを生成するために必要な画像処理を行う手段を備えたクライアント装置と常時接続された状態で使用するようにすれば、読取画像データに対して例えば色空間変換や色調整、階調減少処理等を行う画像処理回路、読取画像データを符号化するコーデック等を画像読取装置に設ける必要はない。そのため、画像読取装置の構成を簡略化して安価な画像読取装置を製造することができる。
【００３４】
請求項１０に記載の画像読取装置によれば、画像読取装置とクライアント装置とが１本のＵＳＢケーブルにより接続される場合でも、クライアント装置へ読取画像データを転送する処理と、クライアント装置から転送されてきた出力用画像データを受信する処理とを同時に行うことができる。
【００３５】
請求項１１に記載の画像読取装置によれば、ユーザが所定操作を行った場合に、画像読取装置に対して割込み禁止命令を送信するクライアント装置と接続された状態で使用することにより、クライアント装置を操作するユーザが、クライアント装置で所定操作を行った後に、画像読取装置に原稿をセットしてクライアント装置に戻るまでの間に、別のユーザが画像読取装置に接続された他のクライアント装置から画像読取装置を動作させてしまうという問題が生じるのを防止することができる。
【００３６】
請求項１２に記載の画像読取装置によれば、画像読取装置に割込み禁止命令を送信してから所定時間を経過しても原稿の読取開始の指示がなかった場合に、割込み禁止解除命令を送信するクライアント装置と接続された状態で使用することにより、例えば、クライアント装置を操作するユーザが、画像読取装置を使用するための操作を途中で止めて画像読取装置へ読取開始命令が送信されなかった場合に、画像読取装置が当該クライアント装置によって無駄に占有されてしまうという問題が生じるのを防止することができる。
【００３７】
請求項１３に記載のクライアント装置は、原稿の読取開始の指示を受付けて原稿の読取開始命令を画像読取装置へ送信する手段と、読取開始命令を送信した後に画像読取装置から読取画像データを受信した場合に、受信した読取画像データを画像処理してメモリに蓄積する手段を備えている。そのため、原稿の読取開始の指示を入力するためのオペレーションパネル、読取画像データに対して例えば色空間変換や色調整等を行う画像処理回路、読取画像データを符号化するコーデック等を、取得した読取画像データをクライアント装置へ転送する処理を行う画像読取装置に設ける必要はなく、画像読取装置の構成を簡略化して安価な画像読取装置を製造することができる。
【００３８】
請求項１４に記載のクライアント装置は、原稿の読取開始の指示を受付けて原稿の読取開始命令を画像読取装置へ送信する手段と、読取開始命令を送信した後に画像読取装置から読取画像データを受信した場合に、受信した読取画像データを画像処理して出力用画像データを生成する手段と、生成した出力用画像データを画像読取装置へ転送する手段と、を備えている。そのため、原稿の読取開始の指示を入力するためのオペレーションパネル、読取画像データに対して例えば色空間変換や色調整、階調減少処理等を行う画像処理回路、読取画像データを符号化するコーデック等を、読取画像データに基づいて生成された出力用画像データを出力する処理を行う画像読取装置に設ける必要はなく、画像読取装置の構成を簡略化して安価な画像読取装置を製造することができる。
【００３９】
請求項１５に記載のクライアント装置は、読取開始命令を送信した後に画像読取装置から読取画像データを受信した場合に、受信した読取画像データを画像処理して出力用画像データを生成する手段と、生成した出力用画像データを画像読取装置へ転送する手段と、を備えている。そのため、読取画像データに対して例えば色空間変換や色調整、階調減少処理等を行う画像処理回路、読取画像データを符号化するコーデック等を、読取画像データを保存のためにクライアント装置へ転送したり、読取画像データに基づいて生成された出力用画像データを出力する処理を行う画像読取装置に設ける必要はなく、画像読取装置の構成を簡略化して安価な画像読取装置を製造することができる。
【００４０】
請求項１６に記載のクライアント装置によれば、割込み禁止命令を受信した場合に、割込み禁止命令の送信元のクライアント装置からのアクセスのみを受付け、他のクライアント装置からのアクセスを禁止する画像読取装置と接続された状態で使用することにより、クライアント装置を操作するユーザが、クライアント装置で所定操作を行った後に、画像読取装置に原稿をセットしてクライアント装置に戻るまでの間に、別のユーザが画像読取装置に接続された他のクライアント装置から画像読取装置を動作させてしまうという問題が生じるのを防止することができる。
【００４１】
請求項１７に記載のクライアント装置によれば、割込み禁止解除命令を受信した場合に、アクセスを禁止していたクライアント装置からのアクセスを許可する画像読取装置と接続された状態で使用することにより、例えば、クライアント装置を操作するユーザが、画像読取装置を使用するための操作を途中で止めて画像読取装置へ読取開始命令が送信されなかった場合に、画像読取装置が当該クライアント装置によって無駄に占有されてしまうという問題が生じるのを防止することができる。
【発明を実施するための最良の形態】
【００４２】
以下、本発明の第１の実施形態に係る画像処理システム、画像読取装置、及びクライアント装置について、図面に基づき説明する。図１は、本発明の第１の実施形態に係る画像処理システム１の構成例を示したブロック図である。この画像処理システム１は、画像読取装置（以下、「複合機」という。）２とクライアント装置３とがネットワーク（ＬＡＮ：Local Area Network）４を介して接続されたものである。なお、ＬＡＮ４上には、同様の構成を備える複数の複合機２ａ（２）乃至２ｃ（２）が設置されており、これら複数の複合機２ａ乃至２ｃとクライアント装置３とがＬＡＮ４を介して通信することができる。
【００４３】
ＬＡＮ４を介してクライアント装置３と接続された複合機２は、ＰＳＴＮ（Public Switched Telephone Network）５と接続されており、例えばファクシミリ装置（不図示）との間でファクシミリ通信を行うことができる。また、ＬＡＮ４には、図示しないが、メールサーバ、ルータ等が設置されており、複合機２がメールサーバ、ルータ、インターネット６等を通して例えばインターネットファクシミリ装置（不図示）との間で原稿の画像データが添付された電子メールを送信又は受信するインターネットファクシミリ通信を行うことができる。そのため、複合機２は、インターネットファクシミリ通信により、画像データ（後述する出力用画像データ）を外部の装置へ出力することができる。
【００４４】
一方、クライアント装置３は、本実施形態においては、一般に広く使用されているＰＣ（Personal Computer）からなるものであり、インターネット６を介して電子メールを送受信したり、ＬＡＮ４を介して複合機２を使用することができるようになっている。
【００４５】
図２の（ａ）は、複合機２の構成例を示したブロック図である。この複合機２は、クライアント装置３とＬＡＮ４を介してネットワーク接続された状態で使用するネットワーク接続専用の装置である。具体的には、ネットワーク（ここでは、ＬＡＮ４）を介してクライアント装置３と接続された状態で、該クライアント装置３との間で所定の通信処理を行うことにより、ＰＣスキャン、コピー、ファクシミリ（ＦＡＸ）送信等を行うことができる装置である。
【００４６】
なお、この複合機２には、ユーザが情報を入力するための各種操作キーや、各種の画面情報を表示する液晶表示装置（ＬＣＤ）等からなるオペレーションパネルが設けられておらず、この複合機２に対する動作指示や設定等の入力は、全てクライアント装置３において行われるようになっている。すなわち、この複合機２は、クライアント装置３からＬＡＮ４を介して送信される命令（コマンド）に基づいて動作する。
【００４７】
この複合機２は、図示するように、制御部（Central Processing Unit）８、ＲＯＭ（Read Only Memory）９、スキャナ（原稿読取部）１０、ページメモリ１１、プリンタ１２、ＬＡＮ Ｉ／Ｆ（Local Area Network Interface）１３、ＵＳＢ ＨＵＢ（Universal Serial Bus Hub）１４、モデム１５、及びＮＣＵ（Network Control Unit）１６を備えたものであって、各部８乃至１６は、バス１７によって通信可能に接続されている。
【００４８】
制御部８は、複合機２の各部の動作を制御する。ＲＯＭ９は、制御部８によりこの複合機２の各部の動作が制御されるための各種プログラムを格納している。スキャナ１０は、クライアント装置３から原稿の読取開始命令を受信した場合に、原稿の画像を読取って読取画像データを取得するものであり、ここでは、原稿のカラー及びモノクロの双方の読取画像データを読取ることができる構成を備えたものである。このスキャナ１０は、図示しないが、本実施形態においては、フラット・ベッド・スキャナ（ＦＢＳ：Flat Bed Scanner）、自動原稿給送装置（ＡＤＦ：Automatic Document Feeder）、原稿検出センサ等を具備している。
【００４９】
フラット・ベッド・スキャナは、例えばＲ（Red）、Ｇ（Green）、Ｂ（Blue）の３つのラインセンサからなるカラーラインセンサ（ＣＣＤ）により、原稿載置板（不図示）に載置された原稿から読取画像データを読取るものである。自動原稿給送装置は、原稿トレイ（不図示）に載置された原稿を所定の搬送路に沿って搬送した後に排紙トレイへと排出するものである。原稿トレイに載置された原稿は、自動原稿給送装置によって搬送路へと送り込まれ、搬送路の所定の読取位置を通過する際に、上記のカラーラインセンサによって読取画像データが読取られるようになっている。
【００５０】
原稿検出センサは、原稿載置板、原稿トレイ、搬送路、排紙トレイにおける原稿の有無を検出するものであり、スキャナ１０の所定の箇所に複数設置されている。この原稿検出センサとしては、例えば、光学式の反射型センサ等を使用することができる。制御部８は、この原稿検出センサの検出結果（検出信号）に基づいて、原稿トレイ又は原稿載置板に原稿が載置（セット）されているか否かを判断したり、自動原稿給送装置の搬送路における原稿ジャム（紙詰まり）の発生の有無を判断したり、排紙トレイにおけるユーザの原稿の取り忘れ等を検出できるようになっている。
【００５１】
なお、このスキャナ１０には、ＡＦＥ回路（Analog Front End）及びＡ／Ｄコンバータが設けられており、カラーラインセンサによって原稿から読取られたＲＧＢ表色系の読取画像データは、ＡＦＥ回路においてゲイン調整され、その後、Ａ／ＤコンバータにおいてＡ／Ｄ変換（Analog to Digital Conversion）された後に、所定の出力先へ出力される。なお、後述するが、この読取画像データは、クライアント装置３へ転送されるようになっており、クライアント装置３へ転送するために必要な最低限の処理が行われた後、色空間変換等の画像処理が行われることなく、クライアント装置３へ転送される。
【００５２】
ページメモリ１１は、スキャナ１０から出力された読取画像データ、クライアント装置３において読取画像データに基づいて生成された印刷処理用のプリントデータ（出力用画像データ）、クライアント装置３において読取画像データに基づいて生成されたファクシミリ送信用の送信画像データ（出力用画像データ）等を一時的に格納する。制御部８は、クライアント装置３から読取開始命令を受信した場合に、スキャナ１０により原稿から読取画像データを取得し、取得した読取画像データをこのページメモリ１１に一旦格納する。そして、その取得した読取画像データをページメモリ１１から読み出し、読み出した読取画像データを画像処理することなくＬＡＮ Ｉ／Ｆ１３又はＵＳＢ ＨＵＢ１４によりクライアント装置３へ転送する。
【００５３】
プリンタ１２は、ページメモリ１１から読み出されたプリントデータの印刷処理を行うものである。すなわち、プリントデータの画像を用紙に記録するものである。なお、プリンタ１２は、ここではカラー及びモノクロの双方の画像を用紙に記録するものであり、プリンタ１２における記録方式としては、例えば、電子写真方式やインクジェット記録方式等の各種の記録方式を用いることができる。
【００５４】
なお、後述するが、複合機２からクライアント装置３へ転送された読取画像データに基づいて、このプリンタ１２の印刷処理に使用するプリントデータがクライアント装置３において生成されるようになっている。そのため、制御部８は、クライアント装置３へ読取画像データを転送した後にクライアント装置３からプリントデータを受信した場合に、受信したプリントデータをプリンタ１２により出力する。すなわち、受信したプリントデータの印刷処理を行ってプリントデータを印字出力する。
【００５５】
ＬＡＮ Ｉ／Ｆ１３は、ＬＡＮ４と複合機２とを通信可能に接続するインターフェースである。ＵＳＢ ＨＵＢ１４は、ＵＳＢ（Universal Serial Bus）デバイスコントローラを内蔵したものであり、ＵＳＢホストコントローラ機能を備えるクライアント装置３との間でＵＳＢを介してデータの送受信を行うことができる。制御部８は、ＬＡＮ Ｉ／Ｆ１３又はＵＳＢ ＨＵＢ１４のいずれかを制御して、クライアント装置３との通信を行うが、本実施形態においては、ＬＡＮ Ｉ／Ｆ１３によりＬＡＮ４を介してクライアント装置３との通信を行う。
【００５６】
モデム１５は、例えばＩＴＵ−Ｔ（国際電気通信連合−電気通信標準化部門）の勧告Ｖ．３４規格又はこれと同様のものに従った送受信データの変調及び復調を行うものである。ＮＣＵ１６は、電話回線を制御して電話をかけたり、切ったりする回線網制御装置であり、ＰＳＴＮ５に接続されている。
【００５７】
なお、後述するが、複合機２からクライアント装置３へ転送された読取画像データに基づいて、モデム１５及びＮＣＵ１６によるファクシミリ送信に使用する送信画像データがクライアント装置３において生成されるようになっている。そのため、制御部８は、クライアント装置３へ読取画像データを転送した後にクライアント装置３から送信画像データを受信した場合に、受信した送信画像データをモデム１５及びＮＣＵ１６により出力する。すなわち、受信した送信画像データをクライアント装置３により指定された宛先の装置へファクシミリ送信することにより、受信した送信画像データをその指定された宛先の装置に対して出力する。
【００５８】
一方、クライアント装置３は、ここでは、ＬＡＮ４を介して複合機２とネットワーク接続されており、図２の（ｂ）に示すように、制御部（ＣＰＵ）１９、ＬＡＮ Ｉ／Ｆ２０、ＵＳＢホストコントローラ２１、スキャナ画像処理部２２、プリンタ画像処理部２３、コーデック２４、操作部２５、表示部２６、ＲＡＭ（Random Access Memory）２７、及びＨＤＤ（Hard Disk Drive）２８、を備えたものであって、各部１９乃至２８は、バス２９によって通信可能に接続されている。
【００５９】
制御部１９は、クライアント装置３の各部の動作を制御する。ＬＡＮ Ｉ／Ｆ２０は、ＬＡＮ４とクライアント装置３とを通信可能に接続するインターフェースである。ＵＳＢホストコントローラ２１は、ＵＳＢのホストコントローラ機能を実行するものであり、ＵＳＢデバイスコントローラ機能を備える複合機２との間でＵＳＢを介してデータの送受信を行うことができる。そのため、クライアント装置３は、ＬＡＮ４とＵＳＢのいずれを介しても複合機２との接続が可能であるが、本実施形態においては、ＬＡＮ４を介して複合機２との通信を行う場合について説明する。
【００６０】
操作部２５は、キーボードやマウス等を用いてなるものであり、クライアント装置３に対する動作指示や設定等の入力を受付けるものであり、加えて、複合機２に対する動作指示や設定等の入力を受付ける手段としても機能する。すなわち、複合機２のスキャナ１０に対する原稿の読取開始の指示や、複合機２のＮＣＵ１６からファクシミリ送信される送信画像データの宛先等の入力等は、この操作部２５から行われる。そのため、この操作部２５から複合機２のスキャナ１０に対する原稿の読取開始の指示が入力された場合、制御部１９は、その原稿の読取開始の指示を受付けて原稿の読取開始命令を複合機２へ送信する処理を行う。
【００６１】
表示部２６は、ＣＲＴ又は液晶ディスプレイを用いてなるものであり、各種画面情報を表示する。具体的には、複合機２に対する原稿の読取条件を設定するための設定画面や、複合機２がスキャナ１０により原稿から取得した読取画像データの画像等を表示する。
【００６２】
スキャナ画像処理部２２は、複合機２から転送された読取画像データに対して画像処理を行うものである。具体的には、ＲＧＢ表色系の読取画像データをＹＣｒＣｂ表色系の画像データに変換する色空間変換、色空間変換されたＹＣｒＣｂ表色系の画像データの明度調整、色彩調整、再度調整などの色調整、拡大／縮小処理等を行う。
【００６３】
プリンタ画像処理部２３は、スキャナ画像処理部２２により必要な画像処理が行われた読取画像データに対して、印刷処理を行うために必要な画像処理を行ってプリントデータ（出力用画像データ）を生成するものである。具体的には、ＹＣｒＣｂ表色系の読取画像データをＣＭＹＫの各色彩データ（プリントデータ）に変換する色空間変換、色空間変換された各色彩データを誤差拡散処理等により２値化又は４値化する階調減少処理等を行う。
【００６４】
なお、制御部１９は、複合機２が原稿から取得した読取画像データの画像を用紙に印刷する、いわゆるコピー機能が操作部２５から指定されている状態で、読取開始命令を複合機２へ送信した後に複合機２から読取画像データを受信した場合に、受信した読取画像データを画像処理して出力用画像データ（プリントデータ）を生成する。具体的には、受信したＲＧＢ表色系の読取画像データをスキャナ画像処理部２２によりＹＣｒＣｂ表色系の画像データに色空間変換した後、色空間変換した画像データをプリンタ画像処理部２３によりＣＭＹＫの各色彩データに変換し、変換した各色彩データを２値化又は４値化して複合機２が印刷処理に使用するプリントデータを生成する。
【００６５】
コーデック２４は、画像データを画像処理するものであり、複合機２から転送された読取画像データを符号化（エンコード）・復号（デコード）する。具体的には、スキャナ画像処理部２２により画像処理が施された読取画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。
【００６６】
なお、制御部１９は、複合機２が原稿から取得した読取画像データをＨＤＤ（メモリ）２８に蓄積する、いわゆるＰＣスキャナ機能が操作部２５から指定されている状態で、読取開始命令を複合機２へ送信した後に複合機２から読取画像データを受信した場合に、受信した読取画像データを画像処理してＨＤＤ２８に蓄積する。具体的には、受信したＲＧＢ表色系の読取画像データをスキャナ画像処理部２２によりＹＣｒＣｂ表色系の画像データに色空間変換した後、色空間変換した画像データをコーデック２４によりＪＰＥＧ方式により符号化し、符号化した画像データをＪＰＥＧファイル、ＰＤＦファイル、ＴＩＦＦファイル等としてＨＤＤ２８に蓄積する。
【００６７】
また、制御部１９は、複合機２が原稿から取得した読取画像データをファクシミリ送信する、いわゆるＦＡＸ送信機能が操作部２５から指定されている状態で、読取開始命令を複合機２へ送信した後に複合機２から読取画像データを受信した場合に、受信した読取画像データを画像処理して出力用画像データ（送信画像データ）を生成する。具体的には、受信したＲＧＢ表色系の読取画像データをスキャナ画像処理部２２によりＹＣｒＣｂ表色系の画像データに色空間変換した後、色空間変換した画像データをコーデック２４により例えばＪＰＥＧ方式により符号化して複合機２がファクシミリ送信に使用する送信データを生成する。
【００６８】
制御部１９は、上記のように出力用画像データであるプリントデータ又は送信画像データを生成した場合、生成したこれらのデータをＬＡＮ Ｉ／Ｆ２０によりＬＡＮ４を介して複合機２へ転送する。具体的には、プリントデータを生成した場合、生成したプリントデータ、及びそのプリントデータの印刷処理を複合機２に実行させるためのプリント開始命令を複合機２へ転送する。一方、送信画像データを生成した場合、生成した送信画像データ、宛先、及びその宛先の装置への送信画像データのファクシミリ送信を複合機２に実行させるための送信開始命令を複合機２へ転送する。
【００６９】
なお、スキャナ画像処理部２２、プリンタ画像処理部２３、及びコーデック２４は、ここでは、本来複合機２において行うべき画像処理（色空間変換、階調減少処理、符号化処理等）を実行する機能を備える拡張ボードによって構成されたものであるが、これらの拡張ボードの機能を、クライアント装置３のＨＤＤ２８にインストールしたソフトウエアで実現するようにしてもよい。この場合、各部２２乃至２４の処理を行うハードウエアを追加する必要がないため、好適である。
【００７０】
ＲＡＭ２７は、制御部１９の主メモリ、ワークエリア等として機能し、各種設定情報等を格納している。なお、複合機２から転送された読取画像データは、このＲＡＭ２７に一旦格納され、各部２２乃至２４によって上記の処理が行われるようになっている。ＨＤＤ２８は、大容量のメモリ領域を有する記憶装置であり、各種データを仕分けして管理するために、名称（フォルダ名）が相異なる複数のフォルダが設定されている。このＨＤＤ２８には、クライアント装置３において生成された各種画像データが蓄積されるようになっており、複合機２から受信した読取画像データに基づいて生成されたＪＰＥＧファイル、ＰＤＦファイル、ＴＩＦＦファイル等の画像ファイルは、操作部２５から予め設定された蓄積画像用フォルダ（指定フォルダ）に蓄積されるようになっている。
【００７１】
また、このＨＤＤ２８には、複合機２から受信した読取画像データに基づいて生成されたプリントデータを一時的に格納するためのプリントデータ用フォルダや、読取画像データに基づいて生成された送信画像データを一時的に格納するための送信画像データ用フォルダが設けられており、複合機２へ転送されるプリントデータ又は送信画像データは、このようにＨＤＤ２８に一旦格納された後に、複合機２へ転送される。
【００７２】
なお、このＨＤＤ２８には、制御部１９によってクライアント装置３の各部が制御されるためのプログラム３０が格納されており、クライアント装置３の処理動作は、このＨＤＤ２８に格納されているプログラム３０に基づいて制御部１９が発行する命令に従って行われる。
【００７３】
上記構成を備える複合機２とクライアント装置３とからなる画像処理システム１では、同様の構成を備える複合機２ａ乃至２ｃがＬＡＮ４上に複数設置されており、クライアント装置３を操作するユーザは、複数の複合機２ａ乃至２ｃの中から任意の複合機２を選択してＰＣスキャン、コピー、ＦＡＸ送信等を行うことができる。
【００７４】
以下、ＰＣスキャン、コピー、又はＦＡＸ送信を行うための操作が操作部２５から行われた場合に、使用する複合機２を決定するためにクライアント装置３において行われる処理動作について、図３に示すフローチャートに基づいて説明する。
【００７５】
まず、クライアント装置３の制御部１９は、操作部２５におけるユーザの所定操作の有無に基づいて、ＰＣスキャン、コピー、又はＦＡＸ送信を行うために必要な操作が行われたか否かを判断する（Ｓ１）。ここで、ＰＣスキャン、コピー、又はＦＡＸ送信のいずれかを行うために必要な操作が行われたと判断した場合（Ｓ１：ＹＥＳ）、ネットワーク上の全ての複合機２ａ乃至２ｃから機器情報を取得する（Ｓ２）。すなわち、ＬＡＮ４上の全ての複合機２ａ乃至２ｃにアクセスし、アクセスした各複合機２から機器情報を取得する。
【００７６】
ここで、機器情報は、位置情報と動作情報とからなる情報であり、位置情報は、クライアント装置３からの距離を示す情報であり、動作情報は、複合機２が待機中であるか、又は、原稿の読取り、プリントデータの印刷処理、送信画像データの送信処理等の実行中であるか否か等の動作の状況を示す情報である。制御部１９は、位置情報に基づいて、クライアント装置３から近い位置に設置されている複合機２と、クライアント装置３から離れた位置に設置されている複合機２とを判別することができる。また、動作情報に基づいて、直ちに使用可能な複合機２と、直ちに使用することができない複合機２とを判別することができる。
【００７７】
制御部１９は、Ｓ２の処理動作に続き、距離優先又は速度優先の指定を促す情報を報知する（Ｓ３）。具体的には、クライアント装置３から距離的に近い場所に設置されている複合機２を使用するか、又は、待機中で直ちに使用可能な複合機２を使用するかの指定を促す情報を表示部２６に表示させる。ここで、距離優先とは、クライアント装置３から近い場所に設置されている複合機２を優先的に使用することを意味し、速度優先とは、待機状態であってクライアント装置３からのコマンドに対して直ちに処理を開始することができる複合機２を優先的に使用することを意味している。
【００７８】
そして、操作部２５におけるユーザの所定操作の有無に基づいて、距離優先が指定されたか否かを判断する（Ｓ４）。ここで、距離優先が指定されたと判断した場合（Ｓ４：ＹＥＳ）、Ｓ２において取得した機器情報の位置情報に基づいて、複合機２を距離が最も近いものから順に一覧表示する（Ｓ５）。具体的には、複合機２を特定する情報（例えば、複合機２の名称や設置場所を示す配置図）と、クライアント装置３からその複合機２が設置されている場所までの距離とを対応付けた情報を、クライアント装置３から最も近いものから遠いものの順に並べて示した表示画面を表示部２６に表示させる。
【００７９】
一方、制御部１９は、距離優先が指定されなかったと判断した場合（Ｓ４：ＮＯ）、速度優先が指定されたか否かを判断する（Ｓ６）。ここで、速度優先が指定されたと判断した場合（Ｓ６：ＹＥＳ）、Ｓ２において取得した機器情報の動作情報に基づいて、複合機２を待機状態のものから順に一覧表示する（Ｓ７）。具体的には、複合機２を特定する情報とその装置の動作の状況を示す情報とを対応付けた情報を、待機状態の複合機２から動作中の複合機２の順に並べて示した表示画面を表示部２６に表示させる。逆に、速度優先が指定されなかったと判断した場合（Ｓ６：ＮＯ）、予めＲＡＭ２７に設定されているデフォルトの複合機２を表示部２６に表示させる（Ｓ８）。
【００８０】
制御部１９は、このようにしてＳ５、Ｓ７、又はＳ８の処理動作を行った後に、ユーザによって使用する複合機２が選択されたか否かを操作部２５からの所定操作の有無に基づいて判断し（Ｓ９）、いずれかの複合機２が選択されたと判断した場合（Ｓ９：ＹＥＳ）、選択された複合機２から機器情報を再度取得する（Ｓ１０）。そして、機器情報に変更があったか否か、言い換えれば、機器情報の動作情報に変更があったか否かを判断し（Ｓ１１）、変更があったと判断した場合には（Ｓ１１：ＹＥＳ）、Ｓ２以降の処理動作を再度行う。逆に、機器情報に変更がなかったと判断した場合には（Ｓ１１：ＮＯ）、Ｓ９において選択されたと判断した複合機２を使用する複合機２に決定する（Ｓ１２）。このようにして決定された複合機２に関する情報は、設定情報としてＲＡＭ２７の所定領域に格納され、クライアント装置３は、決定された複合機２との間で以下に説明する通信処理を行う。
【００８１】
このように、クライアント装置３を操作するユーザは、複数の複合機２ａ乃至２ｃの中から、ＰＣスキャン、コピー、又はファクシミリ送信を行うのに最適な複合機２を状況に応じて任意に選択することができる。
【００８２】
次に、上記のようにしてＰＣスキャン、コピー、又はＦＡＸ送信に使用する複合機２が決定された場合に、複合機２とクライアント装置３において行われる処理動作について、図４乃至図１１に示すフローチャートに基づいて説明する。なお、以下の説明では、ＰＣスキャン、コピー、又はＦＡＸ送信に使用する複合機２として複合機２ａが決定されている場合について説明するが、他の複合機２が決定された場合にも、その他の複合機２において以下に説明する複合機２ａの処理動作と同様の処理動作が行われる。また、図４乃至図７のフローチャートに示すクライアント装置３の処理動作は、ＨＤＤ２８に格納されているプログラム３０に基づいて制御部１９が発行する命令に従って行われ、図８乃至図１１のフローチャートに示す複合機２ａの処理動作は、ＲＯＭ９に格納されているプログラムに基づいて制御部８が発行する命令に従って行われる。
【００８３】
まず、クライアント装置３の制御部１９は、ＰＣスキャン、コピー、又はＦＡＸ送信に使用する複合機２が決定されたか否かをＲＡＭ２７の設定情報に基づいて判断する（Ｓ１５）。ここで、ＰＣスキャン、コピー、又はＦＡＸ送信に使用する複合機２ａが決定されたと判断した場合（Ｓ１５：ＹＥＳ）、予約信号（割込み禁止命令）を使用する複合機２ａへ送信する（Ｓ１６）。ここで、予約信号は、自装置３からのアクセスのみを許可させ、他のクライアント装置からのアクセスを禁止させるための複合機２ａに対するコマンドである。
【００８４】
このように、クライアント装置３の制御部１９は、複合機２ａを使用するための所定操作が行われた場合、すなわち、複合機２ａをＰＣスキャン、コピー、又はＦＡＸ送信に使用する複合機２として決定するための所定操作が操作部２５から行われた場合に、自装置３からのアクセスのみを許可し、ＬＡＮ４上の他のクライアント装置（不図示）からのアクセスを禁止させるための予約信号を複合機２ａへ送信する。そして、予約信号がクライアント装置３から複合機２ａへ送信されると、制御部１９は、予約タイマをスタートさせる（Ｓ１７）。具体的には、Ｓ１６の処理動作を行ってからの経過時間のカウントを開始する。
【００８５】
一方、複合機２ａの制御部８は、図８に示すように、クライアント装置３から予約信号（割込み禁止命令）を受信したか否かを判断する（Ｓ８５）。ここで、予約信号を受信したと判断した場合（Ｓ８５：ＹＥＳ）、予約状態に移行する（Ｓ８６）。ここで、予約状態は、自装置２ａに対して予約信号を送信したクライアント装置３からのアクセスのみを許可し、他のクライアント装置からのアクセスを禁止する状態のことであり、予約状態に移行したことを示す情報が制御部８のレジスタ（不図示）に格納される。
【００８６】
このように、複合機２ａの制御部８は、クライアント装置３から予約信号を受信した場合に、ネットワーク（ここでは、ＬＡＮ４）上の全ての装置からのアクセスを受付ける通常状態から、予約信号の送信元のクライアント装置３からのアクセスのみを許可し、他のクライアント装置からのアクセスを禁止する予約状態に移行する。このように予約状態に移行している間、複合機２ａの制御部８は、例えばクライアント装置からコマンドを受信した場合、受信したコマンドに付加されているクライアント装置のＩＰアドレスに基づいてコマンドの送信元のクライアント装置がクライアント装置３であるか否かを判断する。そして、クライアント装置３であると判断した場合には、受信したコマンドに対応する処理を実行し、クライアント装置３ではないと判断した場合には、受信したコマンドに対応する処理を実行しないように複合機２ａを制御する。
【００８７】
言い換えれば、画像処理システム１において、複合機２ａが割込み禁止命令を受信した場合に、複合機２ａにおいて割込み禁止命令の送信元のクライアント装置３からのアクセスのみを許可し、他のクライアント装置からのアクセスを禁止する。そのため、クライアント装置３を操作するユーザが、操作部２５から所定操作を行った後に、複合機２ａに原稿をセットしてクライアント装置３へ戻るまでの間に、複合機２ａがＬＡＮ４上の他のクライアント装置から使用されしまうという問題が生じるのを防止することができる。
【００８８】
次に、クライアント装置３の制御部１９は、Ｓ１７の処理動作を行った後、原稿の載置及び読取条件の指定を促す情報を報知する（Ｓ１８）。具体的には、「使用する複合機に原稿をセットして下さい」等の原稿載置を促すメッセージとともに、原稿の読取解像度や読取倍率等を設定するための設定画面を表示部２６に表示させる。そして、タイムアウトしたか否かを判断する（Ｓ１９）。すなわち、Ｓ１７において予約タイマをスタートさせてからの経過時間が所定時間を超えたか否かを判断する。ここで、タイムアウトしていないと判断した場合（Ｓ１９：ＮＯ）、複合機２ａへ原稿の読取開始命令を送信するために必要な所定操作が操作部２５から行われたか否かに基づいて、原稿の読取開始の指示があったか否かを判断する（Ｓ２０）。ここで、原稿の読取開始の指示があったと判断した場合（Ｓ２０：ＹＥＳ）、原稿の読取開始命令を複合機２ａへ送信する（Ｓ２１）。すなわち、クライアント装置３において原稿の読取開始の指示を受付けてクライアント装置３から複合機２ａへ原稿の読取開始命令を送信する。逆に、原稿の読取開始の指示がないと判断した場合（Ｓ２０：ＮＯ）、Ｓ１９の処理動作を再度行う。
【００８９】
続いて、クライアント装置３の制御部１９は、原稿の読取開始の指示がなく（Ｓ２０：ＮＯ）、タイムアウトしたと判断した場合（Ｓ１９：ＹＥＳ）、アクセスの制限を解除させるための予約解除信号（割込み禁止解除命令）を複合機２ａへ送信する（Ｓ２２）。ここで、予約解除信号は、予約状態に移行している複合機２ａを通常状態に復帰させるためのコマンドである。このように、クライアント装置３の制御部１９は、予約信号を送信してから所定時間を経過しても原稿の読取開始の指示がなかった場合に、複合機２ａに他のクライアント装置からのアクセス禁止を解除させるための予約解除信号を複合機２ａへ送信する。言い換えれば、クライアント装置３において予約信号を送信してから所定時間を経過しても原稿の読取開始の指示がなかった場合に、クライアント装置３から複合機２ａへ割込み予約解除信号を送信する。そして、「時間切れにより予約を解除しました」などのメッセージを表示部２６に表示させて予約解除を報知する（Ｓ２３）。
【００９０】
一方、複合機２ａの制御部８は、Ｓ８６の処理動作によって予約状態に移行した後、原稿の読取開始命令を受信したか否かを判断する（Ｓ８７）。ここで、原稿の読取開始命令を受信していないと判断した場合（Ｓ８７：ＮＯ）、予約解除信号を受信したか否かを判断する（Ｓ８８）。そして、予約解除信号を受信していないと判断した場合（Ｓ８８：ＮＯ）、Ｓ８７の処理動作を再度行う。逆に、予約解除信号を受信したと判断した場合には（Ｓ８８：ＹＥＳ）、予約状態を解除する（Ｓ８９）。具体的には、クライアント装置３からのアクセスのみを受付ける予約状態から、ＬＡＮ４上の全ての装置からのアクセスを受付ける通常状態へ自装置２ａを復帰させるようにレジスタの情報を書換える。すなわち、複合機２ａの制御部８は、予約信号の送信元のクライアント装置３から予約解除信号を受信した場合に、他のクライアント装置からのアクセス禁止を解除する処理を行う。
【００９１】
このように、画像処理システム１において、複合機２ａが予約解除信号を受信した場合に、複合機２ａにおいて他のクライアント装置からのアクセス禁止が解除されると、ＰＣスキャンが行われることなく処理が完了する。
【００９２】
なお、ここでは、複合機２ａの制御部８は、予約解除信号を受信した場合に予約状態を解除する処理を行うが、予約信号を受信してからの経過時間をカウントし、カウントした経過時間が所定時間を超えるまでの間に、クライアント装置３から読取開始命令等のデータを受信できなかった場合に、予約状態を解除するようにしてもよい。すなわち、予約信号を受信してから所定時間を経過しても予約信号の送信元のクライアント装置３からのアクセスがなかった場合に、他のクライアント装置からのアクセス禁止を解除するようにしてもよい。
【００９３】
なお、複合機２ａの制御部８は、予約解除信号を受信することなく原稿の読取開始命令を受信したと判断した場合（Ｓ８７：ＹＥＳ）、原稿があるか否かを判断する（Ｓ９０）。具体的には、スキャナ１０に設けられている原稿検出センサの検出信号に基づいて、スキャナ１０の自動原稿給送装置の原稿トレイ、又はフラット・ベッド・スキャナの原稿載置板に原稿が載置（セット）されているか否かを判断する。ここで、原稿がないと判断した場合（Ｓ９０：ＮＯ）、原稿がセットされていないことを通知するための原稿無信号をクライアント装置３へ送信する（Ｓ９１）。
【００９４】
これに対し、クライアント装置３の制御部１９は、Ｓ２１において原稿の読取開始命令を送信した場合、原稿無信号を受信したか否かを判断する（Ｓ２４）。ここで、原稿無信号を受信したと判断した場合（Ｓ２４：ＹＥＳ）、「複合機に原稿がセットされていません」、「原稿をセットして下さい」などのメッセージを表示部２６に表示させて、原稿の載置を促す情報を報知する（Ｓ２５）。そして、タイムアウトしたか否か、すなわち、Ｓ１７において予約タイマをスタートさせてからの経過時間が所定時間を超えたか否かを判断し（Ｓ２６）、タイムアウトしたと判断した場合には（Ｓ２６：ＹＥＳ）、Ｓ２２及びＳ２３の処理動作を行う。なお、このＳ２６の判断処理における所定時間は、Ｓ１９の判断処理における所定時間よりも長めの時間である。
【００９５】
一方、複合機２ａの制御部８は、Ｓ９１の処理動作を行った場合、原稿が載置されたか否かを判断し（Ｓ９２）、クライアント装置３のユーザによって原稿がセットされたことにより、原稿が載置されたと判断した場合（Ｓ９２：ＹＥＳ）、その旨を通知するためにクライアント装置３へ原稿有信号を送信する（Ｓ９３）。逆に、原稿が載置されていないと判断した場合（Ｓ９２：ＮＯ）、予約解除信号を受信したか否かを判断する（Ｓ９４）。ここで、予約解除信号を受信していないと判断した場合には（Ｓ９４：ＮＯ）、Ｓ９２の処理動作を再度行い、予約解除信号を受信したと判断した場合には（Ｓ９４：ＹＥＳ）、Ｓ８９の処理動作を行う。
【００９６】
また、クライアント装置３の制御部１９は、タイムアウトしていないと判断した場合（Ｓ２６：ＮＯ）、原稿有信号を受信したか否かを判断する（Ｓ２７）。ここで、原稿有信号を受信していないと判断した場合には（Ｓ２７：ＮＯ）、Ｓ２６の処理動作を再度行う。逆に、原稿有信号を受信したと判断した場合（Ｓ２７：ＹＥＳ）、又は、複合機２ａには原稿がセットされており、Ｓ２１において原稿の読取開始命令を送信してから原稿無信号を複合機２ａから受信しなかった場合（Ｓ２４：ＮＯ）、予約タイマを停止する（Ｓ２８）。すなわち、予約信号を送信してからの経過時間のカウントを停止する。
【００９７】
一方、複合機２ａの制御部８は、Ｓ９０において原稿があると判断した場合（Ｓ９０：ＹＥＳ）、又はＳ９２において原稿が載置されたと判断してＳ９３において原稿有信号をクライアント装置３へ送信した場合、原稿の画像を読取って読取画像データを取得する（Ｓ９５）。具体的には、スキャナ１０のカラーラインセンサにより、自動原稿給送装置の原稿トレイ又はフラット・ベッド・スキャナの原稿載置板に載置されている原稿の画像を読取ってＲＧＢ表色系の読取画像データを取得する。このようにしてスキャナ１０により取得した読取画像データは、ゲイン調整やＡ／Ｄ変換等の必要最小限の処理のみが行われた後、ページメモリ１１へと送られ、該ページメモリ１１に一旦格納される。
【００９８】
そして、複合機２ａの制御部８は、読取画像データがページメモリ１１に格納されると、そのページメモリ１１に格納されている取得した読取画像データをクライアント装置３へ転送する（Ｓ９６）。このように、複合機２ａが読取開始命令を受信した場合に、複合機２ａにおいて原稿の画像を読取って読取画像データを取得し、取得した読取画像データを複合機２ａからクライアント装置３へ転送する処理が行われる。そして、制御部８は、その転送処理が完了したか否かを判断する（Ｓ９７）。ここで、転送が完了していないと判断した場合（Ｓ９７：ＮＯ）、原稿検出センサの検出信号に基づいて原稿ジャムが発生したか否かを判断する（Ｓ９８）。すなわち、読取画像データの転送が完了するまでの間、原稿ジャムの発生の有無を監視する。ここで、原稿ジャムが発生したと判断した場合（Ｓ９８：ＹＥＳ）、すなわち、自動原稿給送装置の搬送路において原稿の紙詰まりが発生した場合、その旨を通知するために、ジャム発生通知信号をクライアント装置３へ送信し（Ｓ９９）、複合機２ａが備えるＬＥＤランプ（不図示）を点滅させたり、スピーカ（不図示）からアラーム音を鳴動させる等して、原稿ジャムの発生を報知する（Ｓ１００）。
【００９９】
一方、クライアント装置３の制御部１９は、Ｓ２８において予約タイマを停止した場合、複合機２ａから転送される読取画像データがＰＣスキャンに使用されるのか、コピーに使用されるのか、又は、ＦＡＸ送信に使用されるのかをＲＡＭ２７の設定情報に基づいて判断する（Ｓ２９）。ここで、読取画像データがＰＣスキャンに使用される画像データであると判断した場合（Ｓ２９：ＰＣスキャン）、すなわち、ＨＤＤ２８に蓄積すべき読取画像データであると判断した場合、図５のＳ３１へ進み、読取画像データの受信を開始したか否かを判断する（Ｓ３１）。具体的には、複合機２ａから何らかのデータを受信し、その受信したデータがＲＧＢ表色系の読取画像データであるか否かを判断する。そして、読取画像データの受信を開始したと判断した場合（Ｓ３１：ＹＥＳ）、読取画像データを受信し（Ｓ３２）、受信した読取画像データを画像処理する（Ｓ３３）。具体的には、スキャナ画像処理部２２によりＲＧＢ表色系の読取画像データをＹＣｒＣｂ表色系の画像データに変換する色空間変換等を行うとともに、色空間変換したＹＣｒＣｂ表色系の画像データをコーデック２４により例えばＪＰＥＧ方式により符号化（圧縮符号化）する。
【０１００】
そして、クライアント装置３の制御部１９は、複合機２ａから転送完了通知信号を受信したか否かに基づいて、読取画像データの受信を完了したか否かを判断し（Ｓ３４）、受信を完了していないと判断した場合には（Ｓ３４：ＮＯ）、ジャム発生通知信号を受信したか否かを判断する（Ｓ３５）。ここで、ジャム発生通知信号を受信したと判断した場合（Ｓ３５：ＹＥＳ）、「原稿が詰まりました」、「詰まった原稿を取出して再セットして下さい」等のメッセージを表示部２６に表示させるなどして、ユーザにジャム解除操作を促す情報を報知する（Ｓ３６）。
【０１０１】
一方、複合機２ａの制御部８は、Ｓ１００の処理動作を行った場合、原稿ジャムが解除されたか否かを判断し（Ｓ１０１）、原稿ジャムが解除されていないと判断した場合には（Ｓ１０１：ＮＯ）、Ｓ１００の処理動作を継続して行う。逆に、ユーザがジャム解除操作を行ったことにより、原稿ジャムが解除されたと判断した場合（Ｓ１０１：ＹＥＳ）、ジャム解除通知信号をクライアント装置３へ送信する（Ｓ１０２）。そして、このＳ１０２の処理動作を行った場合、又は、Ｓ９８において原稿ジャムは発生していないと判断した場合（Ｓ９８：ＮＯ）、Ｓ９５以降の処理動作を行う。すなわち、原稿ジャムの発生の有無を監視しつつ読取画像データの転送処理を行う。
【０１０２】
これに対し、クライアント装置３の制御部１９は、Ｓ３６の処理動作を行った場合、ジャム解除通知信号を受信したか否かを判断し（Ｓ３７）、ジャム解除通知信号を受信していないと判断した場合には（Ｓ３７：ＮＯ）、Ｓ３６の処理動作を継続して行う。逆に、ジャム解除通知信号を受信したと判断した場合（Ｓ３７：ＹＥＳ）、又はジャム発生通知信号を受信していないと判断した場合（Ｓ３５：ＮＯ）、引き続き複合機２ａから読取画像データが転送されてくるので、Ｓ３２以降の処理動作を継続して行う。
【０１０３】
複合機２ａの制御部８は、読取画像データの転送が完了したと判断した場合（Ｓ９７：ＹＥＳ）、転送完了通知信号をクライアント装置３へ送信する（Ｓ１０３）。そして、原稿の読取開始命令や原稿の読取条件の情報とともにクライアント装置３から送信された情報に基づいて、読取画像データがＰＣスキャンに使用されるのか、コピーに使用されるのか、又はＦＡＸ送信に使用されるのかを判断する（Ｓ１０４）。ここで、読取画像データがＰＣスキャンに使用されるものであると判断した場合（Ｓ１０４：ＰＣスキャン）、すなわち、ＨＤＤ２８に蓄積されると判断した場合、図９のＳ１０６へ進み、読取完了タイマをスタートさせる（Ｓ１０６）。具体的には、Ｓ１０３において転送完了通知信号を送信してからの経過時間のカウントを開始する。
【０１０４】
一方、クライアント装置３の制御部１９は、複合機２ａから送信された転送完了通知信号を受信して読取画像データの受信を完了したと判断した場合（Ｓ３４：ＹＥＳ）、読取画像データを、例えばＪＰＥＧファイル、ＰＤＦファイル、ＴＩＦＦファイル等の画像ファイルとしてＨＤＤ２８の指定フォルダに蓄積する（Ｓ３８）。このように、クライアント装置３において転送されてきた読取画像データを画像処理してＨＤＤ２８に蓄積する。そして、蓄積した読取画像データをコーデック２４により復号して表示部２６に表示させ（Ｓ３９）、読取完了タイマをスタートさせる（Ｓ４０）。すなわち、Ｓ３４において読取画像データの受信を完了したと判断してからの経過時間のカウントを開始する。
【０１０５】
複合機２ａの制御部８は、Ｓ１０６の処理動作を行った場合、原稿検出センサの検出信号に基づいて、読取られた原稿が排紙トレイから取除かれたか否かを判断する（Ｓ１０７）。ここで、原稿が取除かれていないと判断した場合（Ｓ１０７：ＮＯ）、タイムアウトしたか否かを判断する（Ｓ１０８）。すなわち、読取完了タイマをスタートさせてからの経過時間が所定時間を超えたか否かを判断する。そして、タイムアウトしていないと判断した場合（Ｓ１０８：ＮＯ）、Ｓ１０７の処理動作を再度行う。逆に、タイムアウトしたと判断した場合（Ｓ１０８：ＹＥＳ）、Ｓ８９の処理動作と同様に予約状態を解除し（Ｓ１０９）、ＬＥＤランプを点灯させたり、スピーカから所定のアラーム音を鳴動させるなどして、原稿の取り忘れを報知する（Ｓ１１０）。
【０１０６】
また、複合機２ａの制御部８は、原稿が取除かれたと判断した場合（Ｓ１０７：ＹＥＳ）、Ｓ８９と同様に予約状態を解除し（Ｓ１１１）、原稿が取除かれたことを通知するための原稿解除信号をクライアント装置３へ送信する（Ｓ１１２）。そして、読取完了タイマを停止させて処理を完了する（Ｓ１１３）。このように、複合機２ａの制御部８は、Ｓ９５及びＳ９６の処理動作により取得した読取画像データをクライアント装置３へ転送した後に、Ｓ１０９又はＳ１１１の処理動作を行うことにより、他のクライアント装置からのアクセス禁止を解除する。
【０１０７】
一方、クライアント装置３の制御部１９は、Ｓ４０において読取完了タイマをスタートさせた後、複合機２ａから原稿解除信号を受信したか否かを判断する（Ｓ４１）。そして、原稿解除信号を受信していないと判断した場合には（Ｓ４１：ＮＯ）、スキャナ１０から原稿が取除かれていないと判断し、タイムアウトしたか否かを判断する（Ｓ４２）。すなわち、Ｓ４０で読取完了タイマをスタートさせてからの経過時間が所定時間を超えたか否かを判断する。ここで、タイムアウトしていないと判断した場合には（Ｓ４２：ＮＯ）、Ｓ４１の処理動作を再度行い、タイムアウトしたと判断した場合には（Ｓ４２：ＹＥＳ）、「原稿を取り忘れています」、「原稿を取除いて下さい」などの原稿解除を促す旨の情報を報知する（Ｓ４３）。また、原稿解除信号を受信したと判断した場合（Ｓ４１：ＹＥＳ）、ユーザによってスキャナ１０から原稿が取除かれたと判断し、読取完了タイマを停止させる（Ｓ４４）。
【０１０８】
このように、画像処理システム１においてスキャナ１０が取得した読取画像データを画像ファイルとしてＨＤＤ２８に蓄積するＰＣスキャンが行われる場合、複合機２ａが取得した原稿の読取画像データに対して、本来複合機２ａにおいて行われるべき画像処理がクライアント装置３において行われる。また、スキャナ１０に対する原稿の読取開始の指示の入力等が全て操作部２５から行われる。そのため、原稿の読取開始の指示を入力するためのオペレーションパネルや、画像処理回路、及びコーデックを複合機２ａに設ける必要がなく、複合機２ａの構成を簡略化することができる。
【０１０９】
また、複合機２ａを使用するクライアント装置３のユーザは、原稿をセットする動作を除く全ての動作（操作）をクライアント装置３の操作部２５から行う。そのため、上記のように、表示部２６等から報知処理を行うことにより、原稿ジャムや原稿の取り忘れを防止することができる。
【０１１０】
次に、読取画像データがコピーに使用される場合について説明する。クライアント装置３の制御部１９は、読取画像データがコピーに使用される画像データであると判断した場合（Ｓ２９：コピー）、図６のＳ４６へ進み、読取画像データの受信を開始したか否かをＳ３１の処理動作と同様に判断する（Ｓ４６）。そして、読取画像データの受信を開始したと判断した場合（Ｓ４６：ＹＥＳ）、読取画像データを受信し（Ｓ４７）、受信した読取画像データを画像処理してプリントデータを生成し、生成したプリントデータをＨＤＤ２８の指定フォルダに格納する（Ｓ４８）。具体的には、スキャナ画像処理部２２によりＲＧＢ表色系の読取画像データをＹＣｒＣｂ表色系の読取画像データに変換する色空間変換等を行う。そして、プリンタ画像処理部２３によりＹＣｒＣｂ表色系の読取画像データに基づいてＣＭＹＫの各色彩データ（プリントデータ）を生成するとともに、生成したプリントデータを２値化又は４値化し、ＨＤＤ２８の指定フォルダに一旦格納する。
【０１１１】
そして、クライアント装置３の制御部１９は、Ｓ３４の処理動作と同様に、読取画像データの受信を完了したか否かを判断し（Ｓ４９）、受信を完了していないと判断した場合には（Ｓ４９：ＮＯ）、Ｓ３５の処理動作と同様にジャム発生通知信号を受信したか否かを判断する（Ｓ５０）。ここで、ジャム発生通知信号を受信したと判断した場合（Ｓ５０：ＹＥＳ）、Ｓ３６の処理動作と同様にジャム解除操作を促す情報を報知する（Ｓ５１）。
【０１１２】
一方、複合機２ａの制御部８は、上記のように、Ｓ１００の処理動作を行った後、原稿ジャムが解除されたか否かを判断し（Ｓ１０１）、原稿ジャムが解除されていないと判断した場合には（Ｓ１０１：ＮＯ）、Ｓ１００の処理動作を継続して行う。逆に、原稿ジャムが解除されたと判断した場合（Ｓ１０１：ＹＥＳ）、ジャム解除通知信号をクライアント装置３へ送信する（Ｓ１０２）。そして、Ｓ１０２の処理動作を行った場合、又は、Ｓ９８において原稿ジャムは発生していないと判断した場合（Ｓ９８：ＮＯ）、Ｓ９５以降の処理動作を行う。
【０１１３】
これに対し、クライアント装置３の制御部１９は、Ｓ５１の処理動作を行った場合には、Ｓ３７の処理動作と同様にジャム解除通知信号を受信したか否かを判断し（Ｓ５２）、ジャム解除通知信号を受信していないと判断した場合には（Ｓ５２：ＮＯ）、Ｓ５１の処理動作を継続して行う。逆に、ジャム解除通知信号を受信したと判断した場合（Ｓ５２：ＹＥＳ）、又はジャム発生通知信号を受信しなかったと判断した場合（Ｓ５０：ＮＯ）、引き続き複合機２ａから読取画像データが転送されてくるので、Ｓ４７以降の処理動作を行う。
【０１１４】
一方、複合機２ａの制御部８は、読取画像データの転送が完了したと判断した場合（Ｓ９７：ＹＥＳ）、上記のようにクライアント装置３へ転送完了通知信号を送信する（Ｓ１０３）。そして、ここでは、原稿の読取開始命令とともにクライアント装置３から転送された情報に基づいて、読取画像データがコピーに使用されるものであると判断すると（Ｓ１０４：コピー）、プリントタイマをスタートさせる（Ｓ１１５）。具体的には、Ｓ１０３において転送完了通知信号を送信してからの経過時間のカウントを開始する。
【０１１５】
これに対し、クライアント装置３の制御部１９は、複合機２ａから送信された転送完了通知信号を受信して読取画像データの受信を完了したと判断した場合（Ｓ４９：ＹＥＳ）、原稿の読取りを行った複合機２ａのプリンタ１２が待機状態であるか否かを判断する（Ｓ５３）。具体的には、複合機２ａにアクセスして機器情報を取得し、取得した機器情報の動作情報に基づいて、プリンタ１２が待機状態であるか否かを判断する。ここで、原稿の読取りを行った複合機２ａのプリンタ１２が待機状態であると判断した場合（Ｓ５３：ＹＥＳ）、原稿の読取りを行った複合機２ａにプリント開始命令を送信して印刷開始を指示する（Ｓ５４）。逆に、原稿の読取りを行った複合機２ａのプリンタ１２が待機状態ではないと判断した場合（Ｓ５３：ＮＯ）、ネットワーク（ここでは、ＬＡＮ４）上の全ての複合機２ａ乃至２ｃから機器情報を取得する（Ｓ５５）。そして、取得した機器情報に基づいて、プリンタ１２を使用可能な他の複合機２があるか否かを判断し（Ｓ５６）、プリンタ１２を使用可能な他の複合機２がないと判断した場合には（Ｓ５６：ＮＯ）、Ｓ５３の処理動作を再度行い、プリンタ１２を使用可能な他の複合機２があると判断した場合には（Ｓ５６：ＹＥＳ）、他の複合機２（例えば、複合機２ｂ）にプリント開始命令を送信して印刷開始を指示する（Ｓ５７）。
【０１１６】
なお、Ｓ５３において「ＮＯ」と判断する場合としては、複合機２ａにコピーを開始させるためのスタートボタンが設けられており、他のユーザがそのスタートボタンを押下してコピーを実行させた場合や、複合機２ａがＬＡＮ４上の装置とは異なる外部の装置からファクシミリ受信した画像データの印刷処理中である場合等である。すなわち、ここでは、複合機２ａは予約状態に移行しているため、ＬＡＮ４上の他のクライアント装置からのコマンドに基づいてプリンタ１２が使用中になることはない。また、Ｓ５３において「ＮＯ」と判断する他の場合としては、原稿の読取りを行った複合機２ａのプリンタ１２が用紙切れやトナー切れである場合等が挙げられる。
【０１１７】
次に、クライアント装置３の制御部１９は、Ｓ５４の処理動作を行った場合、又はＳ５７の処理動作を行った場合、ＨＤＤ２８の指定フォルダに格納されているプリントデータを、印刷開始を指示した複合機２（例えば、複合機２ａ）へ転送する（Ｓ５８）。
【０１１８】
このように、クライアント装置３において転送されてきた読取画像データを画像処理してプリントデータを生成し、生成したプリントデータをクライアント装置３から複合機２ａへ転送する。そして、制御部１９は、転送が完了したか否かを判断し（Ｓ５９）、転送が完了していないと判断した場合には（Ｓ５９：ＮＯ）、Ｓ５８の処理動作を継続して行い、転送が完了したと判断した場合には（Ｓ５９：ＹＥＳ）、印刷開始を指示した複合機２ａへ転送完了通知信号を送信して処理を完了する（Ｓ６０）。
【０１１９】
一方、複合機２ａの制御部８は、Ｓ１１５においてプリントタイマをスタートさせた場合、印刷開始の指示があったか否かを判断する（Ｓ１１６）。すなわち、Ｓ９６において読取画像データを転送したクライアント装置３からプリント開始命令を受信したか否かを判断する。ここで、印刷開始の指示がないと判断した場合（Ｓ１１６：ＮＯ）、タイムアウトしたか否か、すなわち、Ｓ１１５においてプリントタイマをスタートさせてからの経過時間が所定時間を超えたか否かを判断し（Ｓ１１７）、タイムアウトしていないと判断した場合には（Ｓ１１７：ＮＯ）、Ｓ１１６の処理動作を再度行う。逆に、タイムアウトしたと判断した場合には（Ｓ１１７：ＹＥＳ）、Ｓ１０９の処理動作と同様に予約状態を解除する（Ｓ１１８）。
【０１２０】
また、複合機２ａの制御部８は、印刷開始の指示があったと判断した場合（Ｓ１１６：ＹＥＳ）、印刷開始を指示したクライアント装置３からプリントデータを受信し（Ｓ１２０）、受信したプリントデータの印刷処理を実行する（Ｓ１２１）。すなわち、複合機２ａからクライアント装置３へ読取画像データを転送した後に、複合機２ａにおいて転送されてきたプリントデータを出力する。具体的には、ＣＭＹＫの各色彩データからなるプリントデータに基づいてプリンタ１２の各部を制御し、プリントデータの画像を用紙に記録してプリントデータを印字出力する。そして、クライアント装置３から送信された転送完了通知信号を受信して、印刷処理が完了したか否かを判断する（Ｓ１２２）。ここで、印刷処理が完了していないと判断した場合には（Ｓ１２２：ＮＯ）、Ｓ１２０及びＳ１２１の処理動作を継続して行い、印刷処理が完了したと判断した場合には（Ｓ１２２：ＹＥＳ）、Ｓ１１１の処理動作と同様に予約状態を解除し（Ｓ１２３）、プリントタイマを停止させて処理を完了する（Ｓ１２４）。
【０１２１】
このように、画像処理システム１においてコピーが行われる場合、複合機２ａが取得した原稿の読取画像データからプリントデータを生成するために必要な画像処理がクライアント装置３において行われるので、複合機２ａにその画像処理を行うための画像処理回路を設ける必要がなく、複合機２ａの構成を簡略化することができる。
【０１２２】
なお、このように画像処理システム１においてコピーを行った場合にも、上記のＰＣスキャンの場合と同様に、クライアント装置３においてＳ４３のような報知処理を行うことにより、ユーザの原稿の取り忘れを防止するようにしてもよい。また、原稿の読取りと印刷処理とが別の複合機２ａにおいて行われる場合があるため、コピーが完了した際に、クライアント装置３において、ユーザが原稿をセットした複合機２ａに関する情報と、その原稿の画像が記録された記録紙が排出された複合機２に関する情報とを、表示部２６に表示させるなどして、ユーザにそれらの装置の場所を報知して原稿とその画像が出力された記録紙の取り忘れを防止するようにしてもよい。
【０１２３】
次に、読取画像データがＦＡＸ送信に使用される場合について説明する。クライアント装置３の制御部１９は、読取画像データがＦＡＸ送信に使用される画像データであると判断した場合（Ｓ２９：ＦＡＸ送信）、図７のＳ６２へ進み、読取画像データの受信を開始したか否かをＳ３１の処理動作と同様に判断する（Ｓ６２）。そして、読取画像データの受信を開始したと判断した場合（Ｓ６２：ＹＥＳ）、読取画像データを受信し（Ｓ６３）、受信した読取画像データを画像処理して送信画像データを生成し、生成した送信画像データを指定フォルダに格納する（Ｓ６４）。具体的には、スキャナ画像処理部２２によりＲＧＢ表色系の読取画像データをＹＣｒＣｂ表色系の読取画像データに変換する色空間変換等の画像処理を行う。そして、コーデック２４によりＹＣｒＣｂ表色系の読取画像データを例えばＪＰＥＧ方式により符号化して送信画像データを生成し、生成した送信画像データをＨＤＤ２８の指定フォルダに格納する。
【０１２４】
そして、クライアント装置３の制御部１９は、Ｓ３４の処理動作と同様に読取画像データの受信を完了したか否かを判断し（Ｓ６５）、受信を完了していないと判断した場合には（Ｓ６５：ＮＯ）、Ｓ３５の処理動作と同様にジャム発生通知信号を受信したか否かを判断する（Ｓ６６）。ここで、ジャム発生通知信号を受信したと判断した場合（Ｓ６６：ＹＥＳ）、Ｓ３６の処理動作と同様にジャム解除操作を促す情報を報知する（Ｓ６７）。
【０１２５】
一方、複合機２ａの制御部８は、上記のように、Ｓ１００の処理動作を行った後、原稿ジャムが解除されたか否かを判断し（Ｓ１０１）、原稿ジャムが解除されていないと判断した場合には（Ｓ１０１：ＮＯ）、Ｓ１００の処理動作を継続して行う。逆に、原稿ジャムが解除されたと判断した場合（Ｓ１０１：ＹＥＳ）、ジャム解除通知信号をクライアント装置３へ送信する（Ｓ１０２）。そして、Ｓ１０２の処理動作を行った場合、又は、Ｓ９８において原稿ジャムは発生していないと判断した場合（Ｓ９８：ＮＯ）、Ｓ９５以降の処理動作を行う。
【０１２６】
これに対し、クライアント装置３の制御部１９は、Ｓ６７の処理動作を行った場合には、ジャム解除通知信号を受信したか否かを判断し（Ｓ６８）、ジャム解除通知信号を受信していないと判断した場合には（Ｓ６８：ＮＯ）、Ｓ６７の処理動作を継続して行う。逆に、ジャム解除通知信号を受信したと判断した場合（Ｓ６８：ＹＥＳ）、又はジャム発生通知信号を受信しなかったと判断した場合（Ｓ６６：ＮＯ）、引き続き複合機２ａから読取画像データが転送されてくるので、Ｓ６３以降の処理動作を行う。
【０１２７】
また、複合機２ａの制御部８は、上記のように、読取画像データの転送が完了したと判断した場合（Ｓ９７：ＹＥＳ）、クライアント装置３へ転送完了通知信号を送信する（Ｓ１０３）。そして、ここでは、原稿の読取開始命令とともにクライアント装置３から転送された情報に基づいて、読取画像データがＦＡＸ送信に使用されるものであると判断すると（Ｓ１０４：ＦＡＸ送信）、図１１のＳ１２７へ進み、ＦＡＸ送信タイマをスタートさせる（Ｓ１２７）。具体的には、Ｓ１０３においてクライアント装置３へ転送完了通知信号を送信してからの経過時間のカウントを開始する。
【０１２８】
一方、クライアント装置３の制御部１９は、複合機２ａから送信された転送完了通知信号を受信して読取画像データの受信を完了したと判断した場合（Ｓ６５：ＹＥＳ）、ＦＡＸ送信を指示する（Ｓ６９）。具体的には、送信画像データをＦＡＸ送信する宛先、及びＦＡＸ送信開始命令を複合機２ａへ送信する。続いて、ＨＤＤ２８の指定フォルダに格納されている送信画像データを複合機２ａへ転送する（Ｓ７０）。
【０１２９】
このように、クライアント装置３において転送されてきた読取画像データを画像処理して送信画像データを生成し、生成した送信画像データをクライアント装置３から複合機２ａへ転送する。そして、転送が完了したか否かを判断し（Ｓ７１）、転送が完了していないと判断した場合には（Ｓ７１：ＮＯ）、Ｓ７０の処理動作を継続して行い、転送が完了したと判断した場合には（Ｓ７１：ＹＥＳ）、転送完了通知信号を複合機２ａへ送信して処理を完了する（Ｓ７２）。
【０１３０】
これに対し、Ｓ１２７においてＦＡＸ送信タイマをスタートさせた複合機２ａの制御部８は、送信画像データの宛先及びＦＡＸ送信開始命令をクライアント装置３から受信したか否かに基づいて、ＦＡＸ送信の指示があったか否かを判断する（Ｓ１２８）。ここで、ＦＡＸ送信の指示がないと判断した場合には（Ｓ１２８：ＮＯ）、タイムアウトしたか否か、すなわち、Ｓ１２７においてＦＡＸ送信タイマをスタートさせてからの経過時間が所定時間を超えたか否かを判断する（Ｓ１２９）。そして、タイムアウトしていないと判断した場合には（Ｓ１２９：ＮＯ）、再度Ｓ１２８の処理動作を行う。逆に、タイムアウトしたと判断した場合には（Ｓ１２９：ＹＥＳ）、Ｓ１０９の処理動作と同様に予約状態を解除する（Ｓ１３０）。
【０１３１】
また、複合機２ａの制御部８は、ＦＡＸ送信の指示があったと判断した場合（Ｓ１２８：ＹＥＳ）、指定された宛先に発呼するとともに（Ｓ１３２）、送信画像データをクライアント装置３から受信する（Ｓ１３３）。続いて、受信した送信画像データを指定された宛先へＦＡＸ送信する（Ｓ１３４）。
【０１３２】
すなわち、複合機２ａからクライアント装置３へ読取画像データを転送した後に、複合機２ａにおいて転送されてきた送信画像データをＦＡＸ送信により指定された宛先の装置へ出力する。そして、ＦＡＸ送信が完了したか否か、すなわち、クライアント装置３から転送完了通知信号を受信して全ての送信画像データを送信したか否かを判断し（Ｓ１３５）、ＦＡＸ送信が完了していないと判断した場合には、Ｓ１３３及びＳ１３４の処理動作を引き続き行う。逆に、ＦＡＸ送信が完了したと判断した場合には（Ｓ１３５：ＹＥＳ）、ＦＡＸ送信の宛先の装置との回線を切断し（Ｓ１３６）、Ｓ１１１の処理動作と同様に予約状態を解除し（Ｓ１３７）、ＦＡＸ送信タイマを停止させて処理を完了する（Ｓ１３８）。
【０１３３】
このように、画像処理システム１においてＦＡＸ送信が行われる場合、複合機２ａが取得した原稿の読取画像データから送信画像データを生成するために必要な画像処理及び符号化処理がクライアント装置３において行われるので、複合機２ａに画像処理回路やコーデックを設ける必要がなく、複合機２ａの構成を簡略化することができる。
【０１３４】
なお、上記のように画像処理システム１においてＦＡＸ送信を行った場合にも、ＰＣスキャンの場合と同様に、クライアント装置３においてＳ４３のような所定の報知処理を行うことにより、ユーザの原稿の取り忘れを防止するようにしてもよい。
【０１３５】
また、複合機２ａの制御部８は、画像ファイルとしてＨＤＤ２８に蓄積される読取画像データをクライアント装置３へ転送した後、クライアント装置３から転送されたプリントデータの印刷処理が完了した後、又は、クライアント装置３から転送された送信画像データのファクシミリ送信が完了した後に、他のクライアント装置からのアクセス禁止を解除する。そのため、クライアント装置３が複合機２ａを使用する必要がある期間だけ他のクライアント装置からのアクセスが制限され、クライアント装置３が複合機２ａを使用し終えた後には、他のクライアント装置から複合機２ａを使用することができる。
【０１３６】
次に、本発明の第２の実施形態に係る画像処理システム、複合機、及びクライアント装置について説明する。なお、第１の実施形態と同一の構成のものには同一番号を付けてその説明を省略し、異なる点について以下で説明する。図１２に示すように、第２の実施形態に係る画像処理システム３２は、複合機２とクライアント装置３とがＵＳＢ３３を介して接続されたものである。すなわち、画像処理システム３２は、複合機２とクライアント装置３とを接続するＵＳＢ３３を備えている。このＵＳＢ３３には、ＵＳＢ ＨＵＢ３４が設置されている。このＵＳＢ ＨＵＢ３４は、クライアント装置３と複合機２ａ（２）の間で行われる通信、及びクライアント装置３と複合機２ｂ（２）の間で行われる通信を制御するものであり、クライアント装置３は、このＵＳＢ ＨＵＢ３４により、複合機２ａとの通信と複合機２ｂとの通信を同時に行うことができる。
【０１３７】
また、クライアント装置３とＵＳＢ３３により接続された複合機２は、ＬＡＮ Ｉ／Ｆ１３ではなく、ＵＳＢ ＨＵＢ１４によってＵＳＢ３３に接続され、クライアント装置３は、ＵＳＢホストコントローラ２１によりＵＳＢ３３に接続されている。ところで、複合機２とクライアント装置３とを１本のＵＳＢケーブルによって接続した場合、例えば、複合機２において、スキャナ１０が取得した読取画像データをクライアント装置３へ転送する処理と、クライアント装置３が生成した出力用画像データを受信する処理とを、同時に行える構成が必要となる。
【０１３８】
そのため、図２（ａ）に示すように、複合機２内部でＵＳＢ ＨＵＢ１４によって、ＵＳＢが３本に分岐されるようになっている。そのうちの１本は、読取画像データの転送用で、もう１本は、プリントデータの転送用で、残りの１本は、送信画像データの転送用である。そして、ＵＳＢ ＨＵＢ１４は、１本のＵＳＢケーブルを送受信同時に使用できるようにするために、データの送受信の切り換え、その際のデータの欠損の有無のチェック、送受信データの衝突防止等を時間毎やコマンド毎に制御することが可能なように構成されている。これにより、複合機２のＵＳＢ ＨＵＢ１４は、読取画像データをクライアント装置３へ転送する処理及びクライアント装置３から転送されてきた出力用画像データ（プリントデータ又は送信画像データ）を受信する処理を同時に行うことができる。言い換えれば、複合機２からクライアント装置３へ読取画像データを転送する処理及びクライアント装置３から複合機２へ出力用画像データを転送する処理を同時に行うことができる。
【０１３９】
以下、複合機２ａがＵＳＢ３３を介してクライアント装置３と接続されている場合に、 ＵＳＢ ＨＵＢ１４において行われる処理動作について、図１３に示すフローチャートの基づいて説明する。なお、以下に説明するＵＳＢ ＨＵＢ１４の処理動作は、ＲＯＭ９に格納されているプログラムに基づいて制御部８が発行する命令に従って行われる。
【０１４０】
まず、ＵＳＢ ＨＵＢ１４は、クライアント装置３からのデータ転送が開始されたか否かを判断する（Ｓ１４０）。そして、クライアント装置３からのデータ転送が開始されたと判断した場合（Ｓ１４０：ＹＥＳ）、そのデータのトークンパケットを解析する（Ｓ１４１）。そして、その解析結果に基づいて、自装置２ａ向けのデータであるか否かを判断する（Ｓ１４２）。ここで、自装置２ａ向けのデータではないと判断した場合には（Ｓ１４２：ＮＯ）、自装置２ａは処理を行わず、処理動作を完了する。
【０１４１】
ＵＳＢ ＨＵＢ１４は、逆に、自装置２ａ向けのデータであると判断した場合（Ｓ１４２：ＹＥＳ）、スキャナ１０向けのデータであるか否かを判断する（Ｓ１４３）。具体的には、クライアント装置３から転送されたデータが原稿の読取開始命令であるか否かを判断する。ここで、スキャナ１０向けのデータであると判断した場合（Ｓ１４３：ＹＥＳ）、その読取開始命令を制御部８へ送り、制御部８の制御命令に基づいてスキャナ１０が読取った原稿の読取画像データをクライアント装置３へ転送する（Ｓ１４４）。
【０１４２】
一方、スキャナ１０向けのデータではないと判断した場合（Ｓ１４３：ＮＯ）、プリンタ１２向けのデータであるか否かを判断する（Ｓ１４５）。具体的には、クライアント装置３から転送されたデータがプリントデータとプリント開始命令であるか否かを判断する。ここで、プリンタ１２向けのデータであると判断した場合（Ｓ１４５：ＹＥＳ）、プリント開始命令を制御部８へ送り、プリントデータを制御部８の制御命令に基づいて動作するプリンタ１２へ転送する（Ｓ１４６）。
【０１４３】
ＵＳＢ ＨＵＢ１４は、逆に、プリンタ１２向けのデータではないと判断した場合（Ｓ１４５：ＮＯ）、モデム１５向けのデータであるか否かを判断する。具体的には、クライアント装置３から転送されたデータが送信画像データ、ＦＡＸ送信開始命令、又は宛先であるか否かを判断する。ここで、モデム１５向けのデータであると判断した場合、受信したＦＡＸ送信開始命令又は宛先は制御部８へ送り、受信した送信画像データをモデム１５へ転送する（Ｓ１４８）。逆に、モデム１５向けのデータではないと判断した場合には、他の処理を行う。
【０１４４】
したがって、この第２の実施形態に係る画像処理システム３２のように、クライアント装置３と複合機２ａとがＵＳＢ３３により接続されている場合でも、クライアント装置３は、例えば、スキャナ１０により原稿から取得した読取画像データをクライアント装置３へ転送しつつ、クライアント装置３から転送されたプリントデータを受信して印刷処理を行うといった並行処理を行うことが可能である。
【０１４５】
また、第１の実施の形態においては、複合機２ａがクライアント装置３からの予約信号に基づいて予約状態に移行している間は、他のクライアント装置からの全てのアクセスを受付けないようにする場合について説明したが、例えば、クライアント装置３からＰＣスキャンのために予約信号を受信して予約状態に移行した場合には、ＰＣスキャン以外の処理を行うためのアクセスであれば、そのアクセスを受付けるようにしてもよい。例えば、クライアント装置３からの命令に基づいてスキャナ１０により取得した読取画像データをクライアント装置３へ転送する処理と、他のクライアント装置から転送されたプリントデータを受信してプリンタ１２により印刷する処理と、を複合機２ａにおいて同時に行うようにしてもよい。
【０１４６】
なお、第１及び第２の実施形態においては、ＰＣスキャナ機能、コピー機能、ファクシミリ送信機能の３つの機能を併せ持つ画像処理システム１及び３２について説明したが、これら３つの機能のうち、いずれか２つの機能のみを持たせるようにしてもよい。例えば、ファクシミリ送信機能が不要な場合には、複合機２にモデム１５及びＮＣＵ１６を設けず、ＰＣスキャナ機能とコピー機能とを併せ持つ画像処理システムを構築するようにしてもよい。また、いずれか１つの機能、例えば、ＰＣスキャナ機能のみを持たせるようにしてもよい。
【産業上の利用可能性】
【０１４７】
本発明は、例えば、スキャナ、プリンタ、ファクシミリ送信部等を備える画像読取装置と、ＰＣ等のクライアント装置と、からなる画像処理システムに適用可能である。
【図面の簡単な説明】
【０１４８】
【図１】本発明の第１の実施形態に係る画像処理システムの構成例を示したブロック図である。
【図２】（ａ）は、複合機の構成例を示したブロック図、（ｂ）は、クライアント装置の構成例を示したブロック図である。
【図３】ＰＣスキャン、コピー、又はＦＡＸ送信の操作がクライアント装置で行われた場合に、そのクライアント装置において行われる処理動作を示したフローチャートである。
【図４】ＰＣスキャン、コピー、又はＦＡＸ送信に使用する複合機が決定された場合に、クライアント装置において行われる処理動作を示したフローチャートである。
【図５】ＰＣスキャン用の読取画像データを複合機から受信した場合に、クライアント装置において行われる処理動作を示したフローチャートである。
【図６】コピー用の読取画像データを複合機から受信した場合に、クライアント装置において行われる処理動作を示したフローチャートである。
【図７】ＦＡＸ送信用の読取画像データを複合機から受信した場合に、クライアント装置において行われる処理動作を示したフローチャートである。
【図８】クライアント装置がＰＣスキャン、コピー、又はＦＡＸ送信に使用する装置として決定した複合機において、クライアント装置から予約信号を受信した場合に行われる処理動作を示したフローチャートである。
【図９】ＰＣスキャン用の読取画像データをクライアント装置へ転送した後に、複合機において行われる処理動作を示したフローチャートである。
【図１０】コピー用の読取画像データをクライアント装置へ転送した後に、複合機において行われる処理動作を示したフローチャートである。
【図１１】ＦＡＸ送信用の読取画像データをクライアント装置へ転送した後に、複合機において行われる処理動作を示したフローチャートである。
【図１２】本発明の第２の実施形態に係る画像処理システムの構成例を示したブロック図である。
【図１３】複合機が備えるＵＳＢ ＨＵＢにおいて、クライアント装置からデータを受信した場合に行われる処理動作を示したフローチャートである。
【図１４】従来の画像読取装置の構成を示したブロック図である。
【符号の説明】
【０１４９】
１、３２    画像処理システム
２ａ（２）、２ｂ（２）、２ｃ（２）    複合機（画像読取装置）
３    クライアント装置
４    ＬＡＮ
８、１９    制御部
１０    スキャナ
１２    プリンタ
１３、２０    ＬＡＮ Ｉ／Ｆ
１４    ＵＳＢ ＨＵＢ
１５    モデム
１６    ＮＣＵ
２１    ＵＳＢホストコントローラ
２２    スキャナ画像処理部
２３    プリンタ画像処理部
２４    コーデック
２５    操作部
２８    ＨＤＤ（メモリ）
３３    ＵＳＢ
【図１】
2007074064.tif 000003
【図２】
2007074064.tif 000004
【図３】
2007074064.tif 000005
【図４】
2007074064.tif 000006
【図５】
2007074064.tif 000007
【図６】
2007074064.tif 000008
【図７】
2007074064.tif 000009
【図８】
2007074064.tif 000010
【図９】
2007074064.tif 000011
【図１０】
2007074064.tif 000012
【図１１】
2007074064.tif 000013
【図１２】
2007074064.tif 000014
【図１３】
2007074064.tif 000015
【図１４】
2007074064.tif 000016